(57)【要約】【課題】画像の再生時に、撮影者だけが持つ思い出を想起させ、より感慨深い画像鑑賞を可能とした画像再生装置を提供すること。【解決手段】画像の再生時になつかし画像再生モードが選択されると、制御部２３によって、画像の撮影日及び撮影者に対応するコンテンツが日記記録部２２から抽出され、抽出された日記が画像とともにＰＣ６の表示部６２に表示される。【選択図】図１
2008227858.tif 000002
【特許請求の範囲】
【請求項１】
画像と前記画像の撮影日及び撮影者を示す情報とを対応付けて記憶する画像記憶部と、
少なくとも文章を含む日記を個人単位で記憶する日記記憶部と、
前記画像記憶部に記憶された前記画像の再生時に、前記日記記憶部に記憶されている日記から、前記再生する画像の撮影日及び撮影者に対応するコンテンツを抽出し、該抽出したコンテンツを前記画像とともに呈示する情報呈示部と、
を具備することを特徴とする画像再生装置。
【請求項２】
前記画像の再生に先立って、前記再生する画像に関連するキーワードが入力され、
前記情報呈示部は、前記入力されたキーワードと前記再生する画像の撮影日及び撮影者に対応する日記内のコンテンツとを比較し、該比較結果に基づき前記コンテンツを抽出することを特徴とする請求項１に記載の画像再生装置。
【請求項３】
前記情報呈示部は、前記日記内のコンテンツを検索タームとして前記日記内のコンテンツに関連するコンテンツの検索を実行し、該検索したコンテンツをさらに呈示することを特徴とする請求項１に記載の画像再生装置。
【請求項４】
前記日記内のコンテンツに関連するコンテンツは、前記日記内のコンテンツに関連する音声を含むことを特徴とする請求項３に記載の画像再生装置。
【発明の詳細な説明】
【技術分野】
【０００１】
本発明は画像再生装置に関し、特に画像の再生時に該画像を撮影したときの思い出を想起させることができる画像再生装置に関する。
【背景技術】
【０００２】
近年、デジタルカメラが普及して画像がデジタル化されるようになり、フィルムカメラの時代とは異なった写真鑑賞が可能になってきている。例えば、画像を順次画面上に再生しながら鑑賞を行う、所謂スライドショーがパーソナルコンピュータ（ＰＣ）のアプリケーションやデジタルカメラにおいて実現されている。
【０００３】
また、特許文献１では、画像の撮影日時から、画像の撮影当時に流行していた音楽を、画像とともに再生可能とした技術が提案されている。
【特許文献１】特開２００３−１７４５７８号公報
【発明の開示】
【発明が解決しようとする課題】
【０００４】
ここで、特許文献１の技術は画像の撮影当時に流行していた音楽を再生するものであるが、画像の撮影当時に流行していた音楽は必ずしも撮影者の好みを反映しているとは言えず、撮影者だけが持つ思い出を想起させるには必ずしも十分ではない。
【０００５】
本発明は、上記の事情に鑑みてなされたもので、画像の再生時に、撮影者だけが持つ思い出を想起させ、より感慨深い画像鑑賞を可能とした画像再生装置を提供することを目的とする。
【課題を解決するための手段】
【０００６】
上記の目的を達成するために、本発明の第１の態様の画像再生装置は、画像と前記画像の撮影日及び撮影者を示す情報とを対応付けて記憶する画像記憶部と、少なくとも文章を含む日記を個人単位で記憶する日記記憶部と、前記画像記憶部に記憶された前記画像の再生時に、前記日記記憶部に記憶されている日記から、前記再生する画像の撮影日及び撮影者に対応するコンテンツを抽出し、該抽出したコンテンツを前記画像とともに呈示する情報呈示部とを具備することを特徴とする。
【発明の効果】
【０００７】
本発明によれば、画像の再生時に、撮影者だけが持つ思い出を想起させ、より感慨深い画像鑑賞を可能とした画像再生装置を提供することができる。
【発明を実施するための最良の形態】
【０００８】
以下、図面を参照して本発明の実施形態を説明する。  
図１は、本発明の一実施形態に係る画像再生装置を含む画像再生システムの構成を示す図である。図１に示す画像再生システムは、画像サーバ１と、日記サーバ２と、音声サーバ３と、再検索サーバ４とを有している。そして、これらのサーバはネットワーク５を介して互いにデータ通信自在に接続されている。さらに、図１において、パーソナルコンピュータ（ＰＣ）６がネットワーク５を介して各サーバとデータ通信自在に接続されている。なお、図１において、画像再生装置は、画像サーバ１と日記サーバ２とを含んで構成されている。
【０００９】
画像サーバ１は、ユーザが例えばデジタルカメラを用いて撮影した画像等の各種画像をその関連情報とともに記録及び管理する。この画像サーバ１は、アクセス判定部１１と、画像記録部１２と、制御部１３とを有している。  
アクセス判定部１１は、画像データ等の各種データを受信した際の受信元及び画像サーバ１から画像データとその関連データを送信する際の送信先を判定する。画像記録部１２は、画像データ記録部１２ａと画像関連データ記録部１２ｂとを含む。画像記録部１２の画像データ記録部１２ａはＰＣ６から転送されてきた画像データを記録している。画像関連データ記録部１２ｂは、ＰＣ６から、画像データとともに転送されてくる画像の撮影日や画像の撮影者の情報を少なくとも含む画像関連データを該画像データに関連付けて記録する。制御部１３は、後述する画像再生の際の制御を含む、画像サーバ１の動作を統括的に制御する。
【００１０】
日記サーバ２はユーザによって作成される日記を記録及び管理する。日記サーバ２は、アクセス判定部２１と、日記記録部２２と、制御部２３とを有している。  
アクセス判定部２１は、日記サーバ２にアクセスがなされた場合のアクセス元及び日記データとその関連コンテンツを送信する際のアクセス先を判定する。日記記録部２２はコンテンツ記録部２２ａと日記関連データ記録部２２ｂとを含む。コンテンツ記録部２２ａはユーザによって作成される日記のコンテンツデータ（日記の文章データ。日記に画像や音声等が貼り付けられている場合にはそのデータも含む）を記録している。日記関連データ記録部２２ｂは日記が作成された場合、日記の作成日時及び作成者の情報を少なくとも含む日記関連データを日記のコンテンツデータと関連付けて記録する。画像サーバ１の制御部１３とともに情報呈示部を構成する制御部２３は、日記サーバ２の動作を統括的に制御する。
【００１１】
音声サーバ３は多数の音声（ここでの音声は音楽も含むものである）を記録している。再検索サーバ４は日記のコンテンツに関連する情報をデータベース４１から検索する。データベース４１は地名と対応付けられた地図データ等を含むデータベースである。ネットワーク５は、例えば光ファイバ回線等を用いた汎用インターネット回線である。
【００１２】
ＰＣ６は、ユーザが文字情報を入力したり、各種の選択操作等を行うための操作部６１と、画像サーバ１に記録されている画像や日記サーバ２に記録されている日記を再生するための表示部６２と、音声サーバ３に記録されている音声を再生するためのスピーカ６３とを含む。
【００１３】
以下、図１に示す画像再生システムの動作について説明する。図２は図１に示す画像再生システムにおける画像再生処理について示すフローチャートである。なお、図２の画像再生処理は画像サーバ１の制御部１３と日記サーバ２の制御部２３とが共動して制御を行うものである。
【００１４】
ユーザがＰＣ６を介して画像サーバ１に接続し、画像の再生モードを選択すると、画像サーバ１の制御部１３は画像記録部１２に記録されている画像のサムネイル画像をＰＣ６の表示部６２に表示させる。ユーザは表示部６２に表示されているサムネイル画像の中から所望の画像を選択する。これを受けて制御部１３は選択された画像を表示部６２に拡大表示させる（ステップＳ１）。
【００１５】
その後、制御部１３はユーザによってなつかし再生モードが選択されたか否かを判定する（ステップＳ２）。このなつかし再生モードはユーザに懐かしさを想起させるような画像再生を行うための再生モードである。なつかし再生モードが選択されたか否かの判定は、例えば、表示部６２に表示されているページ内に設けられるなつかし再生モードボタンが選択されたか否かによって判定することができる。
【００１６】
ステップＳ２の判定において、なつかし再生モードが選択されていない場合にはステップＳ１に戻り、通常の画像再生を継続する。一方、ステップＳ２の判定において、なつかし再生モードが選択された場合に、制御部１３は、ユーザに対してなつかしさを想起させるためのキーワードを要求する（ステップＳ３）。その後、ユーザからのキーワード入力がなされたか否かを判定する（ステップＳ４）。ステップＳ４の判定において、キーワードの入力がなされない場合に、制御部１３は、例えば所定時間待機した後、ステップＳ１に戻り、通常の画像再生を行う。ここで、ステップＳ４のキーワードは、日記サーバ２の日記記録部２２に記録されたコンテンツ（例えば日記の文章）に含まれるものである。即ち、日記の内容を知らない第三者はなつかし再生モードで画像を再生することが困難なようになっている。
【００１７】
一方、ステップＳ４の判定において、ユーザによってキーワードの入力がなされた場合に、制御部１３は、入力されたキーワードを画像の撮影日及び撮影者情報とともに日記サーバ２の制御部２３に転送する。制御部２３は、受け取った撮影日に画像の撮影者と同一人によって作成されたコンテンツ（ここでは特に日記の文章データ）をコンテンツ記録部２２ａから抽出する（ステップＳ５）。なお、画像の撮影日に作成されたコンテンツがない場合には、最も近い時期に作成されたコンテンツを抽出するようにしても良い。
【００１８】
コンテンツを抽出した後、制御部２３は、抽出したコンテンツ内にキーワードが含まれているか否かを判定する（ステップＳ６）。ステップＳ６の判定において、抽出したコンテンツ内にキーワードが含まれていない場合、制御部２３はその旨を画像サーバ１の制御部１３に通知する。これを受けて画像サーバ１は処理をステップＳ１に戻り、通常の画像の再生を行う。
【００１９】
一方、ステップＳ６の判定において、抽出したコンテンツ内にキーワードが含まれている場合に制御部２３はその旨を画像サーバ１の制御部１３に通知する。これを受けて画像サーバ１の制御部１３はユーザに再生モードの選択を促す（ステップＳ７）。ここでは、例として日記モード、音声モード、日記・音声併用モードの３種類を示している。
【００２０】
ユーザによって再生モードの選択がなされた後、制御部１３は、選択された再生モードが日記モードであるか否かを判定する（ステップＳ８）。ステップＳ８の判定において、日記モードである場合に、制御部１３はその旨を日記サーバ２の制御部２３に通知する。これを受けて制御部２３は、ステップＳ５において抽出されたコンテンツ（日記の文章データ）を画像サーバ１の制御部１３に転送する。これを受けて、制御部１３は画像とともに日記の文章をＰＣ６の表示部６２に表示させる（ステップＳ９）。この際、日記の全文を表示させるようにしても良いし、キーワードを含む部分のみを表示させるようにしても良い。また、文字をゆっくり表示させたり、文字の表示フォントを変えたりして、より懐かしさが想起されやすい形態で表示させるようにしても良い。さらに、日記に画像や音声が添付されている場合にはそれらを再生するようにしても良い。
【００２１】
また、ステップＳ８の判定において、日記モードでない場合に、制御部１３は、選択された再生モードが音声モードであるか否かを判定する（ステップＳ１０）。ステップＳ１０の判定において、音声モードである場合に、制御部１３はその旨を日記サーバ２の制御部２３に通知する。これを受けて制御部２３は、ステップＳ５において抽出されたコンテンツ（日記の文章データ）から音声を特定できる文字列（例えば楽曲名等）を検索する。そして、制御部２３は、検索された文字列から特定される音声データを音声サーバ３から取得し、取得した音声データを画像サーバ１の制御部１３に転送する。これを受けて、制御部１３は画像をＰＣ６の表示部６２において表示させるとともに音声をＰＣ６のスピーカ６３から再生する（ステップＳ１１）。なお、日記内に音声を特定できる文字列が含まれていない場合には、その旨が制御部２３から制御部１３に通知され、これを受けて制御部１３は日記の内容と関連する音声がない旨を例えば表示部６２に表示させることによってユーザに通知する。
【００２２】
また、ステップＳ１０の判定において、音声モードでない場合に、制御部１３は、選択された再生モードが日記・音声併用モードであるか否かを判定する（ステップＳ１２）。ステップＳ１２の判定において、日記・音声モードである場合に、制御部１３はその旨を日記サーバ２の制御部２３に通知する。これを受けて制御部２３は、日記の文章データ及び音声データを画像サーバ１の制御部１３に転送する。これを受けて、制御部１３は画像及び日記をＰＣ６の表示部６２に表示させるとともに音声をＰＣ６のスピーカ６３から再生する（ステップＳ１３）。
【００２３】
ここで、ステップＳ９、Ｓ１１、Ｓ１３における再生に先立って音声以外を特定するための文字列、例えば地名等をステップＳ５で抽出したコンテンツから検索し、該検索した文字列を検索タームとして再検索サーバ４において検索した文字列に関連する各種の情報を再検索して画像や日記、音声とともに再生するようにしても良い。
【００２４】
以上説明したように、本実施形態によれば、画像の再生の際になつかし再生モードが選択されると、画像の撮影日及び撮影者と対応した日記が検索される。そして、この日記にユーザによって入力されたキーワードが含まれている場合には画像とともに日記の内容に関連するコンテンツが再生される。この場合、画像とともに再生されるコンテンツはその画像の撮影当時にユーザが作成した日記の内容と関連したものであるので、ユーザはより生き生きと当時を回想し、懐かしい思いにひたることが可能である。
【００２５】
また、入力されたキーワードが日記に含まれていない場合には日記が再生されないので、第三者に日記の内容が見られる可能性は少ない。また、第三者にとっては日記と関連のあるコンテンツが再生されても懐かしさが想起されるわけではないので、第三者が画像を鑑賞する場合には画像のみを再生することで画像再生の際の処理量を低減することも可能である。
【００２６】
次に、上述した実施形態の変形例について説明する。この変形例は、キーワード入力なしに懐かしさを感じさせるコンテンツを再生する例である。なお、画像再生システムの構成については図１に示したものがそのまま適用されるので説明を省略する。
【００２７】
以下、変形例の画像再生システムの動作について説明する。図３は変形例の画像再生システムにおける画像再生処理について示すフローチャートである。なお、図３の画像再生処理も画像サーバ１の制御部１３と日記サーバ２の制御部２３とが共動して制御を行うものである。
【００２８】
ユーザがＰＣ６を介して画像サーバ１に接続し、画像の再生モードを選択すると、画像サーバ１の制御部１３は画像記録部１２に記録されている画像のサムネイル画像をＰＣ６の表示部６２に表示させる。ユーザは表示部６２に表示されているサムネイル画像の中から所望の画像を選択する。これを受けて制御部１３は選択された画像を表示部６２に拡大表示する（ステップＳ２１）。
【００２９】
その後、制御部１３はユーザによってなつかし再生モードが選択されたか否かを判定する（ステップＳ２２）。ステップＳ２２の判定において、なつかし再生モードが選択されていない場合にはステップＳ２１に戻り、通常の画像再生を継続する。一方、ステップＳ２２の判定において、なつかし再生モードが選択された場合に、制御部１３は、画像の撮影日及び撮影者情報を日記サーバ２の制御部２３に転送する。制御部２３は、受け取った撮影日に画像の撮影者と同一人によって作成されたコンテンツ（ここでは特に日記の文章データ）をコンテンツ記録部２２ａから抽出する（ステップＳ２３）。なお、画像の撮影日に作成されたコンテンツがない場合には、最も近い時期に作成されたコンテンツを抽出するようにしても良い。次に、制御部２３は、コンテンツを抽出できたか否かを判定する（ステップＳ２４）。ステップＳ２４の判定において、コンテンツを抽出できなかった場合にはその旨を画像サーバ１の制御部１３に通知する。これを受けて画像サーバ１は処理をステップＳ２１に戻り、通常の画像の再生を行う。
【００３０】
一方、ステップＳ２４の判定においてコンテンツを抽出できた場合、制御部２３はその旨を画像サーバ１の制御部１３に通知する。これを受けて画像サーバ１の制御部１３はユーザに再生モードの選択を促す（ステップＳ２５）。ここでは、例として日記モード、音声モード、日記・音声併用モードの３種類を示している。
【００３１】
ユーザによって再生モードの選択がなされた後、制御部１３は、選択された再生モードが日記モードであるか否かを判定する（ステップＳ２６）。ステップＳ２６の判定において、日記モードである場合に、制御部１３はその旨を日記サーバ２の制御部２３に通知する。これを受けて制御部２３は、ステップＳ２３において抽出されたコンテンツ（日記の文章データ）を画像サーバ１の制御部１３に転送する。これを受けて、制御部１３は画像とともに日記の文章をＰＣ６の表示部６２に表示させる（ステップＳ２７）。この際、日記の全文を表示させるようにしても良いし、キーワードを含む部分のみを表示させるようにしても良い。また、文字をゆっくり表示させたり、文字の表示フォントを変えたりして、より懐かしさが想起されやすい形態で表示させるようにしても良い。さらに、日記に画像や音声が添付されている場合にはそれらを再生するようにしても良い。
【００３２】
また、ステップＳ２６の判定において、日記モードでない場合に、制御部１３は、選択された再生モードが音声モードであるか否かを判定する（ステップＳ２８）。ステップＳ２８の判定において、音声モードである場合に、制御部１３はその旨を日記サーバ２の制御部２３に通知する。これを受けて制御部２３は、ステップＳ２３において抽出されたコンテンツ（日記の文章データ）から音声を特定できる文字列（例えば楽曲名等）を検索する。そして、制御部２３は、検索された文字列から特定される音声データを音声サーバ３から取得し、取得した音声データを画像サーバ１の制御部１３に転送する。これを受けて、制御部１３は画像をＰＣ６の表示部６２において表示させるとともに音声をＰＣ６のスピーカ６３から再生する（ステップＳ２９）。なお、日記内に音声を特定できる文字列が含まれていない場合には、その旨が制御部２３から制御部１３に通知され、これを受けて制御部１３は日記の内容と関連する音声がない旨を例えば表示部６２に表示させることによってユーザに通知する。
【００３３】
また、ステップＳ２８の判定において、音声モードでない場合に、制御部１３は、選択された再生モードが日記・音声併用モードであるか否かを判定する（ステップＳ３０）。ステップＳ３０の判定において、日記・音声モードである場合に、制御部１３はその旨を日記サーバ２の制御部２３に通知する。これを受けて制御部２３は、日記の文章データ及び音声データを画像サーバ１の制御部１３に転送する。これを受けて、制御部１３は画像及び日記をＰＣ６の表示部６２に表示させるとともに音声をＰＣ６のスピーカ６３から再生する（ステップＳ３１）。
【００３４】
ここで、ステップＳ２７、Ｓ２９、Ｓ３１における再生に先立って音声以外を特定するための文字列、例えば地名等をステップＳ２３で抽出したコンテンツから検索し、該検索した文字列を検索タームとして再検索サーバ４において検索した文字列に関連する各種の情報を再検索して画像や日記、音声とともに再生するようにしても良い。
【００３５】
以上説明した変形例によっても画像再生時にユーザに懐かしさを想起させることが可能である。即ち、変形例によって再生される日記も、その当時にユーザが撮影した画像と関連したものであるので、ユーザだけが持つ思い出を想起させることが可能である。
【００３６】
以上実施形態に基づいて本発明を説明したが、本発明は上述した実施形態に限定されるものではなく、本発明の要旨の範囲内で種々の変形や応用が可能なことは勿論である。例えば、図１の例では、画像サーバ１、日記サーバ２、音声サーバ３、及び再検索サーバ４が別々のサーバとして設けられているがこれらを１つのサーバとして構成しても良い。
【００３７】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００３８】
【図１】本発明の一実施形態に係る画像再生システムの構成を示す図である。
【図２】本発明の一実施形態に係る画像再生システムにおける画像再生処理について示すフローチャートである。
【図３】本発明の変形例の画像再生システムにおける画像再生処理について示すフローチャートである。
【符号の説明】
【００３９】
１…画像サーバ、２…日記サーバ、３…音声サーバ、４…再検索サーバ、５…ネットワーク、６…パーソナルコンピュータ（ＰＣ）、１１…アクセス判定部、１２…画像記録部、１２ａ…画像データ記録部、１２ｂ…画像関連データ記録部、１３…制御部、２１…アクセス判定部、２１…制御部、２２…日記記録部、２２ａ…コンテンツ記録部、２２ｂ…日記関連データ記録部、２３…制御部、４１…データベース、６１…操作部、６２…表示部、６３…スピーカ
【図１】
2008227858.tif 000003
【図２】
2008227858.tif 000004
【図３】
2008227858.tif 000005